(57)【要約】【課題】  保護板にひび割れを生ずることを防止した電子機器を提供する。【解決手段】  電子機器は、本体ユニット１２と、本体ユニット１２に対して起立した第１の位置Ｐ１と、本体ユニット１２に対して被さった第２の位置Ｐ２と、の間で回転可能な表示ユニット１３と、を具備する。表示ユニット１３は、ディスプレイ２３と、ディスプレイ２３を覆うとともに、ディスプレイ２３に対向する第１の面３３と、この第１の面３３とは反対側の第２の面３４と、第１の面３３と第２の面３４とを連通した連通部３２と、を有する保護板２５と、樹脂製の充填材２６と、を具備する。充填材２６は、ディスプレイ２３と保護板２５との間の隙間に充填された本体部２６Ａと、連通部３２を経由して本体部２６Ａから一体に延びて外界に突出するとともに、表示ユニット１３が第２の位置Ｐ２への回転に伴って本体ユニット１２に当接する突出部２６Ｂと、を有する。【選択図】図５
2010191674.tif 000002
【特許請求の範囲】
【請求項１】
本体ユニットと、
前記本体ユニットに対して起立した第１の位置と、前記本体ユニットに被さった第２の位置と、の間で回転可能な表示ユニットと、
を具備する電子機器であって、
前記表示ユニットは、
ディスプレイと、
前記ディスプレイを覆うとともに、前記ディスプレイに対向する第１の面と、この第１の面とは反対側の第２の面と、前記第１の面と前記第２の面とを連通した連通部と、を有する保護板と、
前記ディスプレイと前記保護板との間の隙間に充填された本体部と、前記連通部を経由して前記本体部から一体に延びて外界に突出するとともに、前記表示ユニットの前記第２の位置への回転に伴って前記本体ユニットに当接する突出部と、を有する樹脂製の充填材と、
を具備することを特徴とする電子機器。
【請求項２】
前記表示ユニットは、前記ディスプレイの周囲を取り囲む筐体を具備し、
前記保護板は、前記筐体の一部をなすとともに、前記筐体の前面全体に亘るように設けられたことを特徴とする請求項１に記載の電子機器。
【請求項３】
前記連通部は、前記保護板の縁部の近傍に設けられたことを特徴とする請求項２に記載の電子機器。
【請求項４】
前記連通部は、前記保護板に設けられた貫通孔であることを特徴とする請求項３に記載の電子機器。
【請求項５】
前記充填材は、シリコン樹脂製であることを特徴とする請求項４に記載の電子機器。
【請求項６】
前記連通部は、前記保護板の縁部に設けられた切欠部であることを特徴とする請求項３に記載の電子機器。
【請求項７】
前記充填材は、シリコン樹脂製であることを特徴とする請求項６に記載の電子機器。
【請求項８】
ディスプレイと、
前記ディスプレイを覆うとともに、前記ディスプレイに対向する第１の面と、この第１の面とは反対側の第２の面と、前記第１の面と前記第２の面とを連通した連通部と、を有する保護板と、
前記ディスプレイと前記保護板との間の隙間に充填された本体部と、前記連通部を経由して前記本体部から一体に延びて外界に突出した突出部と、を有する充填材と、
を具備することを特徴とする表示装置。
【請求項９】
前記ディスプレイの周囲を取り囲む筐体を具備し、
前記保護板は、前記筐体の一部をなすとともに、前記筐体の前面全体に亘るように設けられたことを特徴とする請求項８に記載の表示装置。
【請求項１０】
前記連通部は、前記保護板の縁部の近傍に設けられたことを特徴とする請求項９に記載の表示装置。
【発明の詳細な説明】
【技術分野】
【０００１】
本発明は、ディスプレイを有する表示ユニットを備えた電子機器および表示装置に関する。
【背景技術】
【０００２】
本体筐体に対して表示部筐体が回転可能になった電子機器が開示されている。この電子機器は、キーボードの載置部が設けられる本体筐体と、ディスプレイ等が内蔵される表示部筐体と、表示部筐体から突出するように設けられる固定部材と、を備えている。表示部筐体は、さらに、固定部材がはめ込まれる開口部を有している。固定部材は、ゴム等の弾性部材であり、表示部筐体の角部から本体筐体に向かって突出するように設けられている。
【０００３】
固定部材は、表示部筐体を閉じる際に本体筐体の上面に当接し、表示部筐体に生じる衝撃を吸収する。（例えば、特許文献１参照）。
【先行技術文献】
【特許文献】
【０００４】
【特許文献１】特開２００７−１５６５５１号公報
【発明の概要】
【発明が解決しようとする課題】
【０００５】
ところで、ディスプレイを保護するための透明な保護板を、表示部筐体の前面全体に設けることがある。このような構造の電子機器に固定部材を設ける場合には、保護板の角部に対応する位置にゴム製の弾性体を接着して衝撃吸収部を形成することが多い。しかしながら、このような構造の電子機器では、表示部筐体の開閉を繰り返すことにより、弾性体の直下の位置にある保護板に応力が集中して、保護板にひび割れを生じてしまうことがある。このため、従来形の電子機器では、繰り返し加えられる衝撃に対して十分に対応することができず、改良の余地があった。また、弾性体を位置合わせして保護板に対して接着する必要があり、組立作業が煩雑になっていた。
【０００６】
本発明の目的は、保護板にひび割れを生ずることを防止した電子機器を提供することにある。
【課題を解決するための手段】
【０００７】
前記目的を達成するため、本発明の一つの形態に係る電子機器は、本体ユニットと、前記本体ユニットに対して起立した第１の位置と、前記本体ユニットに被さった第２の位置と、の間で回転可能な表示ユニットと、を具備する電子機器であって、前記表示ユニットは、ディスプレイと、前記ディスプレイの前面を覆うとともに、前記ディスプレイに対向する第１の面と、この第１の面とは反対側の第２の面と、前記第１の面と前記第２の面とを連通した連通部と、を有する保護板と、前記ディスプレイと前記保護板との間の隙間に充填された本体部と、前記連通部を経由して前記本体部から一体に延びて外界に突出するとともに、前記表示ユニットの前記第２の位置への回転に伴って前記本体ユニットに当接する突出部と、を有する樹脂製の充填材と、を具備する。
【０００８】
前記目的を達成するため、本発明の一つの形態に係る表示装置は、ディスプレイと、ディスプレイの前面を覆うとともに、ディスプレイに対向する第１の面と、この第１の面とは反対側の第２の面と、第１の面と第２の面とを連通した連通部と、を有する保護板と、ディスプレイと保護板との間の隙間に充填された本体部と、連通部を経由して本体部から一体に延びて外界に突出した突出部と、を有する充填材と、を具備する。
【発明の効果】
【０００９】
上記の構成によれば、保護板にひび割れを生ずることを防止した電子機器を提供できる。
【図面の簡単な説明】
【００１０】
【図１】第１の実施形態に係るポータブルコンピュータを示す斜視図。
【図２】図１に示すポータブルコンピュータの表示ユニットを示した斜視図。
【図３】図２に示す表示ユニットを分解して示した斜視図。
【図４】図２に示す表示ユニットを正面方向から示した正面図。
【図５】図４に示す表示ユニットをＦ５―Ｆ５線に沿って切断して示した斜視図。
【図６】図１に示すポータブルコンピュータにおいて、表示ユニットが第２の位置にあるときに縦方向に沿って切断して示した断面図。
【図７】第２の実施形態に係るポータブルコンピュータの表示ユニットを正面方向から示した正面図。
【図８】図７に示す表示ユニットを横方向に沿って切断して示した斜視図。
【発明を実施するための形態】
【００１１】
以下に、図１から図６を参照して、電子機器の第１の実施形態について説明する。本明細書において、手前側（即ちユーザ側）を前方向Ｆ、ユーザから見て奥側を後方向Ｒ、ユーザから見て左側を左方向、ユーザから見て右側を右方向、ユーザから見て上方を上方向、ユーザから見て下方を下方向と定義する。
【００１２】
図１に示すように、電子機器の一例であるポータブルコンピュータ１１は、本体ユニット１２と、表示ユニット１３と、本体ユニット１２と表示ユニット１３との間に設けられるヒンジ部１４と、を備えている。ヒンジ部１４は、表示ユニット１３を回転可能に支持している。表示ユニット１３は、図１に示すように本体ユニット１２に対して起立した第１の位置Ｐ１と、図６に示すように本体ユニット１２に対して平行になるようにこれに被さった第２の位置Ｐ２と、の間で回転することができる。
【００１３】
図１に示すように、本体ユニット１２は、合成樹脂製のケース１５と、ケース１５に取り付けられるキーボード１６およびタッチパッド１７と、を備えている。本体ユニット１２は、ケース１５の内部に収容されたプリント回路板１８をさらに備えている。本体ユニット１２は、コネクタ部２１と、コネクタ部２１に接続されたカード状の記憶媒体２２と、を備えている。
【００１４】
図１から図３に示すように、表示装置である表示ユニット１３は、ディスプレイ２３と、ディスプレイ２３の周囲を取り囲む筐体２４と、ディスプレイ２３を保護するための保護板２５と、ディスプレイ２３と保護板２５との間に介在される充填材２６と、を有している。ディスプレイ２３は、例えば、液晶ディスプレイで構成されている。本実施形態において、ディスプレイ２３は、液晶ディスプレイで構成されているがこれに限定されるものではない。ディスプレイ２３は、例えば、有機ＥＬディスプレイ等であってもよい。筐体２４は、方形の開口部を有するマスク２７と、ディスプレイ２３の背面を覆うカバー２８と、を含んでいる。
【００１５】
保護板２５は、例えば、透明なガラスによって平板状に形成されている。この保護板２５は、アクリル等の透明なプラスチックによって形成されていてもよい。保護板２５は、ディスプレイ２３の前面を覆っており、筐体２４の一部をなしている。保護板２５は、筐体２４の前面全体に亘っている。
【００１６】
保護板２５は、本体３１と、本体３１に設けられた連通部３２と、を有している。また、保護板２５は、ディスプレイ２３に対向している第１の面３３と、第１の面３３とは反対側の第２の面３４と、を有している。連通部３２は、この第１の面３３と第２の面３４とを連通している。本実施形態において、連通部３２は、本体３１に設けられた４つの貫通孔３２Ａとして形成されている。貫通孔３２Ａは、例えば、縦長で、両端部を丸くしたスリット形をなしている。図４に示すように、各貫通孔３２Ａは、本体３１の縁部３１Ａの近傍に設けられている。
【００１７】
充填材２６は、透明で弾力性のある例えばシリコン樹脂をシート状に成形したもので構成される。このため、充填材２６は、成形後においては、ゴム状の弾性を有している。図３に示すように、充填材２６は、ディスプレイ２３と保護板２５との間に充填されるシート状の本体部２６Ａと、本体部２６Ａから一体に突出した突出部２６Ｂと、を有している。図５と図６に示すように、突出部２６Ｂは、角を丸くしたアーチ形の突起として形成されている。突出部２６Ｂは、本体部２６Ａから延びて、連通部３２を通って表示ユニット１３の外界に突出する。充填材２６の材質としては、シリコン樹脂が適当であるが、これに準ずる相当品であってもよい。
【００１８】
充填材２６の本体部２６Ａは、ディスプレイ２３と保護板２５との間の隙間に充填され、この隙間内に空気が残留しないようにしている。本体部２６Ａは、ディスプレイ２３と保護板２５との間で、ディスプレイ２３に加えられる衝撃を吸収する。また、本体部２６Ａは、保護板２５がユーザ等によって押された場合などに、ディスプレイ２３と保護板２５との間でニュートンリングと呼ばれる干渉縞を生ずることを防止する。さらに、充填材２６の本体部２６Ａは、ディスプレイ２３と保護板２５との間の隙間における屈折率を調節して、ディスプレイ２３から照射される光が保護板２５の第１の面３３で反射されることを防止して、ディスプレイ２３の視認性を良好にする。
【００１９】
続いて、本実施形態の表示ユニット１３の製造方法について説明する。まず、ディスプレイ２３との間に所定の隙間を保持して、ディスプレイ２３に保護板２５を対向させる。このとき、ディスプレイ２３と保護板２５との間の固定には、図示しない治具等が用いられる。また、保護板２５には、すでに貫通孔３２Ａである連通部３２が形成されている。さらに、保護板２５の貫通孔３２Ａの近傍の位置に、アーチ形の突出部２６Ｂを成形するための金型を当接させておく。金型は、突出部２６Ｂの形状をなした空洞部分（キャビティ）を有している。
【００２０】
この状態で、ディスプレイ２３と保護板２５との間に充填材２６となる樹脂を注入する。ディスプレイ２３と保護板２５との間に空気（気泡）が残存しないように注入した後、例えば所定時間放置するなどの処理を行って本体部２６Ａおよび突出部２６Ｂを形成する。本体部２６Ａおよび突出部２６Ｂの硬化によって、ディスプレイ２３と保護板２５との間の接着がなされる。上記治具および金型をディスプレイ２３および保護板２５から取り外し、さらにディスプレイ２３の周囲に筐体２４を組み付けて、表示ユニット１３の組み立てが完了する。
【００２１】
続いて、第１の実施形態のポータブルコンピュータ１１の作用について説明する。ポータブルコンピュータ１１の表示ユニット１３が図１に示す第１の位置Ｐ１から、図６に示す第２の位置Ｐ２に移動すると、充填材２６の突出部２６Ｂが本体ユニット１２のケース１５の上面に当接する。これによって、突出部２６Ｂが衝撃力を吸収し、表示ユニット１３の筐体２４が本体ユニット１２のケース１５に対して勢い良くぶつけられてしまうことが防止される。このとき、この衝撃による応力は、充填材２６の本体部２６Ａに逃がされて分散されるため、保護板２５において応力集中を生じることはない。
【００２２】
第１の実施形態によれば、ポータブルコンピュータ１１は、本体ユニット１２と、本体ユニット１２に対して起立した第１の位置Ｐ１と、本体ユニット１２に被さった第２の位置Ｐ２と、の間で回転可能な表示ユニット１３と、を具備し、表示ユニット１３は、ディスプレイ２３と、ディスプレイ２３の前面を覆うとともに、ディスプレイ２３に対向する第１の面３３と、この第１の面３３とは反対側の第２の面３４と、第１の面３３と第２の面３４とを連通した連通部３２と、を有する保護板２５と、ディスプレイ２３と保護板２５との間の隙間に充填された本体部２６Ａと、連通部３２を経由して本体部２６Ａから一体に延びて外界に突出するとともに、表示ユニット１３の第２の位置Ｐ２への回転に伴って本体ユニット１２に当接する突出部２６Ｂと、を有する樹脂製の充填材２６と、を具備する。
【００２３】
ディスプレイ２３と保護板２５との間に介在される樹脂は、ディスプレイ２３の機能が妨げられることを防止する観点から、透明なものを使用するのが一般的である。上記の構成によれば、表示ユニット１３を第１の位置Ｐ１から第２の位置Ｐ２にする際に、表示ユニット１３に生じる衝撃を充填材２６によって吸収することができる。このとき、本体ユニット１２に衝突して突出部２６Ｂにおいて生じた応力は、連通部３２を経由して本体部２６Ａに分散されるため、突出部２６Ｂの近傍にある保護板２５において応力が集中してしまうことがない。これによって、保護板２５にひび割れを生じてしまうことを防止することができる。また、突出部２６Ｂは、本体部２６Ａと一体になった充填材２６として成形されるため、保護板２５に対して突出部２６Ｂを位置合わせして接着する必要がない。このため、表示ユニット１３の組み立てに要する工数を低減して、表示ユニット１３を簡単に製造することができる。特に本実施形態では、充填材２６によって、ディスプレイ２３と保護板２５との間の接着と、突出部２６Ｂの形成とを一括して行うことができるため、工数を著しく少なくできる点で特に有効である。さらに、突出部２６Ｂが透明な樹脂によって形成されるため、突出部２６Ｂの存在を目立たなくして、突出部２６Ｂによって美観が低下することを極力防止することができる。
【００２４】
この場合、表示ユニット１３は、ディスプレイ２３の周囲を取り囲む筐体２４を具備し、保護板２５は、筐体２４の一部をなすとともに、筐体２４の前面全体に亘るように設けられている。この構成によれば、保護板２５が表示ユニット１３の前面全体に設けられているため、表示ユニット１３の前面の構造がすっきりとして美観が向上する。また、保護板２５は、突出部２６Ｂを通すための連通部３２を有しているため、このように表示ユニット１３の前面全体に保護板２５を設けたとしても問題はない。
【００２５】
また、連通部３２は、保護板２５の縁部３１Ａの近傍に設けられる。この構成によれば、ディスプレイ２３から離れた位置に突出部２６Ｂを配置することができ、より一層突出部２６Ｂの存在を目立たなくすることができる。
【００２６】
連通部３２は、保護板２５に設けられた貫通孔３２Ａである。この構成によれば、簡単な構造で連通部３２を形成することができる。この充填材２６は、シリコン樹脂製である。この素材によれば、ディスプレイ２３と保護板２５との間の隙間を埋めるとともに、本体ユニット１２に当接する突出部２６Ｂを有する充填材２６を簡単に実現することができる。
【００２７】
続いて、図７、図８を参照して、ポータブルコンピュータの第２の実施形態について説明する。第２の実施形態の電子機器の一例であるポータブルコンピュータ１１は、連通部３２の形状が異なる点で第１の実施形態のものと異なっているが、他の部分は第１の実施形態と概ね共通している。このため、主として異なる部分について説明し、共通する部分については共通の符号を付して説明を省略する。
【００２８】
第２の実施形態のポータブルコンピュータ１１は、図１に示すものとほぼ同様の外観を有している。表示ユニット１３は、図１に示す第１の位置Ｐ１と、図６に示すような第２の位置Ｐ２との間で回転することができる。
【００２９】
図７に示すように、表示装置である表示ユニット１３は、ディスプレイ２３と、ディスプレイ２３の周囲を取り囲む筐体２４と、ディスプレイ２３を保護するための保護板２５と、ディスプレイ２３と保護板２５との間に充填される充填材２６と、を有している。本実施形態において、ディスプレイ２３は、例えば、液晶ディスプレイで構成される。筐体２４は、方形の開口部を有するマスク２７と、ディスプレイ２３の背面を覆うカバー２８と、を含んでいる。
【００３０】
保護板２５は、透明なガラスによって平板状に形成されている。保護板２５は、ディスプレイ２３の前面を覆っており、筐体２４の一部をなしている。保護板２５は、筐体２４の前面全体に亘っている。
【００３１】
保護板２５は、本体３１と、本体３１に設けられた連通部３２と、ディスプレイ２３に対向している第１の面３３と、第１の面３３とは反対側の第２の面３４と、を有している。本実施形態において、連通部３２は、本体３１の縁部３１Ａに設けられた４つの切欠部３２Ｂとして形成されている。切欠部３２Ｂは、筐体２４のマスク２７との間で縦長のスリット状の開口部を形成する。この開口部の内側に充填材２６の突出部２６Ｂが通される。
【００３２】
充填材２６は、透明で弾力性のあるシリコン樹脂をシート状に成形したもので構成される。このため、充填材２６は、成形後においては、ゴム状の弾性を有している。充填材２６は、ディスプレイ２３と保護板２５との間に介在されるシート状の本体部２６Ａと、本体部２６Ａから一体に突出した突出部２６Ｂと、を有している。図８に示すように、突出部２６Ｂは、角を丸くしたアーチ形の突起である。突出部２６Ｂは、本体部２６Ａから延びて、連通部３２を通って表示ユニット１３の外界に突出する。第２の実施形態の表示ユニット１３の製造方法は、第１の実施形態のものと略同様である。
【００３３】
続いて、第２の実施形態のポータブルコンピュータ１１の作用について説明する。ポータブルコンピュータ１１の表示ユニット１３が第１の位置Ｐ１から第２の位置Ｐ２に移動すると、充填材２６の突出部２６Ｂが本体ユニット１２のケース１５の上面に当接する。これによって、突出部２６Ｂが衝撃力を吸収し、表示ユニット１３が本体ユニット１２に対して勢い良くぶつけられてしまうことを防止する。このとき、この衝撃による応力は、充填材２６の本体部２６Ａに分散されるため、保護板２５において応力集中は生じない。
【００３４】
第２の実施形態によれば、表示ユニット１３を第１の位置Ｐ１から第２の位置Ｐ２にする際に、表示ユニット１３に生じる衝撃を充填材２６によって吸収することができる。これによって、保護板２５にひび割れを生じてしまうことを防止することができる。また、突出部２６Ｂが透明な樹脂によって形成されるため、突出部２６Ｂの存在を目立たなくして、突出部２６Ｂによって美観が低下することを極力防止することができる。さらに、連通部３２は、保護板２５の縁部３１Ａに設けられた切欠部３２Ｂであるので、第１の実施形態と同様に、簡単な構造で連通部３２を形成することができる。
【００３５】
電子機器は、上記実施形態に示したポータブルコンピュータ１１用に限らず、例えば携帯電話機のようなその他の電子機器に対しても実施可能である。その他、電子機器は、発明の要旨を逸脱しない範囲で種々変形して実施できることは勿論である。
【符号の説明】
【００３６】
１１…ポータブルコンピュータ、１２…本体ユニット、１３…表示ユニット、２３…ディスプレイ、２４…筐体、２５…保護板、２６…充填材、２６Ａ…本体部、２６Ｂ…突出部、３１Ａ…縁部、３２…連通部、３２Ａ…貫通孔、３３…第１の面、３４…第２の面、３２Ｂ…切欠部、Ｐ１…第１の位置、Ｐ２…第２の位置
【図１】
2010191674.tif 000003
【図２】
2010191674.tif 000004
【図３】
2010191674.tif 000005
【図４】
2010191674.tif 000006
【図５】
2010191674.tif 000007
【図６】
2010191674.tif 000008
【図７】
2010191674.tif 000009
【図８】
2010191674.tif 000010